【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ネットワーク・エンティティーによって、第一のUEにUL送信資源割り当ての第一の型を送る段階であって、UL送信資源割り当ての前記第一の型は前記第一のUEのための承認不要の送信を示す、段階と；
前記ネットワーク・エンティティーによって、第二のUEのためにUL送信資源割り当ての第二の型を送る段階であって、UL送信資源割り当ての前記第二の型は前記第二のUEのための承認ベースの送信を示す、段階と；
前記ネットワーク・エンティティーによって、承認不要の送信資源を使って承認不要の送信のための、前記第一のUEからの第一のデータ送信を受信する段階と；
前記ネットワーク・エンティティーによって、割り当てられた承認ベースの送信資源を使って承認ベースの送信のための、前記第二のUEからの第二のデータ送信を受信する段階とを含む、
データ送信のための方法。
【請求項２】
前記送ることの前に：
承認不要の送信のための前記第一のUEが前記ネットワークにアクセスするときに、前記ネットワーク・エンティティーによって、承認不要の送信のための前記UEのためのUL送信資源割り当て機構の前記第一の型を選択する段階と；
承認ベースの送信のための前記UEが前記ネットワークにアクセスするときに、前記ネットワーク・エンティティーによって、承認ベースの送信のための前記第二のUEのためのUL送信資源割り当て機構の前記第二の型を選択する段階とをさらに含む、
請求項１記載の方法。
【請求項３】
前記第一のUEに前記UL送信資源割り当てを送信することが：
ａ）ブロードキャスト信号伝達；
ｂ）半持続的信号伝達；
ｃ）RRC信号伝達；
ｄ）動的信号伝達；および
ｅ）UE固有の信号伝達またはUE群ベースの信号伝達
のうちの少なくとも一つに基づく、
請求項１ないし２のうちいずれか一項記載の方法。
【請求項４】
前記ネットワーク・エンティティーによって、承認不要モードに切り換えるための前記第二のUEへの信号を送信し、前記第二のUEにUL送信資源割り当てを送信する段階であって、前記UL送信資源割り当ては、割り当てられた承認不要の送信資源を示す、段階をさらに含む、請求項１ないし３のうちいずれか一項記載の方法。
【請求項５】
前記ネットワーク・エンティティーによって、前記第一のUEからの前記第一のデータ送信を、前記承認不要の送信資源を使って承認不要の再送信として受信する段階；または
前記ネットワーク・エンティティーによって、前記第一のUEに再送信のためのDCI承認を送り、該DCI承認における前記割り当てられた再送信資源に基づいて前記第一のUEから前記第一のデータ送信を受信する段階をさらに含む、
請求項１ないし４のうちいずれか一項記載の方法。
【請求項６】
前記ネットワーク・エンティティーによって、前記第二のUEに再送信のためにDCI承認またはNACKを送り、前記割り当てられた再送信資源に基づいて前記第二のUEから前記第二のデータ送信を受信する段階；または
前記ネットワーク・エンティティーによって、NACKもしくは承認不要再送信モードに切り換えるためのインジケーターおよび承認不要の再送信資源を送り、前記承認不要の送信資源を使って承認不要の送信のための前記第二のUEからの前記第二のデータ送信を受信する段階をさらに含む、
請求項１ないし５のうちいずれか一項記載の方法。
【請求項７】
前記ネットワーク・エンティティーによって、前記第一のUEにUL送信資源割り当てを送信する段階であって、前記UL送信資源割り当ては前記第一のUEが承認ベース・モードに切り換えられることを示すとともに、割り当てられた承認ベースの送信資源を含む、段階；または
前記ネットワーク・エンティティーによって、承認ベース・モードに切り換えるための前記第一のUEへの信号を送信し、スケジューリング要求に基づいて前記第一のUEにUL送信資源割り当てを送信する段階であって、前記UL送信資源割り当てが、割り当てられた承認ベースの送信資源を示す、段階をさらに含む、請求項１ないし６のうちいずれか一項記載の方法。
【請求項８】
前記ネットワーク・エンティティーによって前記第一のUEからの第一のデータ送信を受信する前に：
前記ネットワーク・エンティティーによって、前記第一のUEからのプリアンブルを受信する段階であって、前記プリアンブルはUE  IDとあらかじめ定義された関係をもち、前記UE  IDは前記承認不要の送信資源とあらかじめ定義された関係をもつ、段階；または
前記ネットワーク・エンティティーによって、前記第一のUEからのUE  IDを受信する段階であって、前記UE  IDは前記承認不要の送信資源とあらかじめ定義された関係をもつ、段階をさらに含む、
請求項１ないし７のうちいずれか一項記載の方法。
【請求項９】
プロセッサと；
前記プロセッサによる実行のためのプロセッサ実行可能命令を記憶しているコンピュータ可読記憶媒体とを有するネットワーク装置であって、前記命令は：
ネットワーク・エンティティーによって、第一のUEにUL送信資源割り当ての第一の型を送る段階であって、UL送信資源割り当ての前記第一の型は前記第一のUEのための承認不要の送信を示す、段階と；
前記ネットワーク・エンティティーによって、第二のUEのためにUL送信資源割り当ての第二の型を送る段階であって、UL送信資源割り当ての前記第二の型は前記第二のUEのための承認ベースの送信を示す、段階と：
前記ネットワーク・エンティティーによって、承認不要の送信資源を使って承認不要の送信のための、前記第一のUEからの第一のデータ送信を受信する段階と；
前記ネットワーク・エンティティーによって、割り当てられた承認ベースの送信資源を使って承認ベースの送信のための、前記第二のUEからの第二のデータ送信を受信する段階とを含む方法を実行するためのものである、
ネットワーク装置。
【請求項１０】
前記コンピュータ可読記憶媒体に記憶されている前記プロセッサ実行可能命令が、前記送ることの前に：
承認不要の送信のための前記第一のUEが前記ネットワークにアクセスするときに、前記ネットワーク・エンティティーによって、承認不要の送信のための前記UEのためのUL送信資源割り当て機構の前記第一の型を選択する段階と；
承認ベースの送信のための前記UEが前記ネットワークにアクセスするときに、前記ネットワーク・エンティティーによって、承認ベースの送信のための前記第二のUEのためのUL送信資源割り当て機構の前記第二の型を選択する段階とをさらに実行するための命令を含む、
請求項９記載のネットワーク装置。
【請求項１１】
前記コンピュータ可読記憶媒体に記憶されている前記プロセッサ実行可能命令が：
前記ネットワーク・エンティティーによって、前記第一のUEにUL送信資源割り当てを送信する段階であって、前記UL送信資源割り当ては前記第一のUEが承認ベース・モードに切り換えられることを示すとともに、割り当てられた承認ベースの送信資源を含む、段階；または
前記ネットワーク・エンティティーによって、承認ベース・モードに切り換えるための前記第一のUEへの信号を送信し、スケジューリング要求に基づいて前記第一のUEにUL送信資源割り当てを送信する段階であって、前記UL送信資源割り当てが、割り当てられた承認ベースの送信資源を示す、段階をさらに実行するための命令を含む、
請求項９または１０のうちいずれか一項記載のネットワーク装置。
【請求項１２】
前記コンピュータ可読記憶媒体に記憶されている前記プロセッサ実行可能命令が：
前記ネットワーク・エンティティーによって、承認不要モードに切り換えるための前記第二のUEへの信号を送信し、前記第二のUEにUL送信資源割り当てを送信する段階であって、前記UL送信資源割り当ては、割り当てられた承認不要の送信資源を示す、段階をさらに実行するための命令を含む、請求項９ないし１１のうちいずれか一項記載のネットワーク装置。
【請求項１３】
コンピュータ可読記憶媒体上の前記プロセッサ実行可能命令が：
前記ネットワーク・エンティティーによって、前記第一のUEからの前記第一のデータ送信を、前記承認不要の送信資源を使って承認不要の再送信として受信する段階；または
前記ネットワーク・エンティティーによって、前記第一のUEに再送信のためのDCI承認を送り、該DCI承認における前記割り当てられた再送信資源に基づいて前記第一のUEから前記第一のデータ送信を受信する段階をさらに実行するための命令を含む、
請求項９ないし１２のうちいずれか一項記載のネットワーク装置。
【請求項１４】
コンピュータ可読記憶媒体上の前記プロセッサ実行可能命令が：
前記ネットワーク・エンティティーによって、前記第二のUEに再送信のためにDCI承認またはNACKを送り、前記割り当てられた再送信資源に基づいて前記第二のUEから前記第二のデータ送信を受信する段階；または
前記ネットワーク・エンティティーによって、NACKもしくは承認不要再送信モードに切り換えるためのインジケーターおよび承認不要の再送信資源を送り、前記承認不要の送信資源を使って承認不要の送信のための前記第二のUEからの前記第二のデータ送信を受信する段階をさらに実行するための命令を含む、
請求項９ないし１３のうちいずれか一項記載のネットワーク装置。
【請求項１５】
コンピュータ可読記憶媒体上の前記プロセッサ実行可能命令が、前記ネットワーク・エンティティーによって前記第一のUEからの第一のデータ送信を受信する前に：
前記ネットワーク・エンティティーによって、前記第一のUEからのプリアンブルを受信する段階であって、前記プリアンブルはUE  IDとあらかじめ定義された関係をもち、前記UE  IDは前記承認不要の送信資源とあらかじめ定義された関係をもつ、段階；または
前記ネットワーク・エンティティーによって、前記第一のUEからのUE  IDを受信する段階であって、前記UE  IDは前記承認不要の送信資源とあらかじめ定義された関係をもつ、段階をさらに実行するための命令を含む、
請求項９ないし１４のうちいずれか一項記載のネットワーク装置。
【請求項１６】
ユーザー装置によって、UL送信資源割り当ての第一の型を受信する段階であって、UL送信資源割り当ての前記第一の型は前記UEのための承認不要の送信を示す、段階；および
前記UEによって、承認不要の送信資源を使って承認不要の送信のための、前記UEからの第一のデータ送信を送る段階；または
前記UEによって、UL送信資源割り当ての第二の型を受信する段階であって、UL送信資源割り当ての前記第二の型は前記UEのための承認ベースの送信を示す、段階；および
前記UEによって、割り当てられた承認ベースの送信資源を使って承認ベースの送信のための、前記UEからの第二のデータ送信を送る段階
のうちの少なくとも一つを含む、データ送信のための方法。
【請求項１７】
前記UEによって、UL送信資源割り当てを受信する段階であって、前記UL送信資源割り当ては前記UEが承認ベース・モードに切り換えられることを示すとともに、割り当てられた承認ベースの送信資源を含む、段階；または
前記UEによって、承認ベース・モードに切り換えるための信号を受信し、スケジューリング要求に基づいて前記UEにUL送信資源割り当てを送信する段階であって、前記UL送信資源割り当てが、割り当てられた承認ベースの送信資源を示す、段階をさらに含む、
請求項１６記載の方法。
【請求項１８】
前記第一のUEに前記UL送信資源割り当てを送信することが：
ａ）ブロードキャスト信号伝達；
ｂ）半持続的信号伝達；
ｃ）RRC信号伝達；
ｄ）動的信号伝達；および
ｅ）UE固有の信号伝達またはUE群ベースの信号伝達
のうちの少なくとも一つに基づく、
請求項１６ないし１７のうちいずれか一項記載の方法。
【請求項１９】
前記UEによって、前記UEから前記第一のデータ送信を、前記承認不要の送信資源を使って承認不要の再送信として送信する段階；または
前記UEによって、前記UEへの再送信のためのDCI承認を受信し、該DCI承認における前記割り当てられた再送信資源に基づいて前記UEから前記第一のデータ送信を送信する段階をさらに含む、
請求項１６ないし１８のうちいずれか一項記載の方法。
【請求項２０】
前記UEによって、承認不要モードに切り換えるための信号を受信し、UL送信資源割り当てを受信する段階であって、前記UL送信資源割り当ては、割り当てられた承認不要の送信資源を示す、段階をさらに含む、請求項１６ないし１９のうちいずれか一項記載の方法。
【請求項２１】
前記UEによって前記UEからの第一のデータ送信を送る前に：
前記UEによって、プリアンブルを送る段階であって、前記プリアンブルはUE  IDとあらかじめ定義された関係をもち、前記UE  IDは前記承認不要の送信資源とあらかじめ定義された関係をもつ、段階；または
前記UEによって、UE  IDを送る段階であって、前記UE  IDは前記承認不要の送信資源とあらかじめ定義された関係をもつ、段階をさらに含む、
請求項１６ないし２０のうちいずれか一項記載の方法。
【請求項２２】
前記UEによって、再送信のためのDCI承認またはNACKを受信し、前記割り当てられた再送信資源に基づいて前記UEから前記第二のデータ送信を送信する段階；または
前記UEによって、NACKもしくは承認不要再送信モードに切り換えるためのインジケーターおよび承認不要の再送信資源を受信し、前記承認不要の送信資源を使って承認不要の送信のための前記第二のデータ送信を送信する段階をさらに含む、
請求項１６ないし２１のうちいずれか一項記載の方法。
【請求項２３】
プロセッサと；
前記プロセッサによる実行のためのプロセッサ実行可能命令を記憶しているコンピュータ可読記憶媒体とを有するユーザー装置（UE）であって、前記命令は：
ユーザー装置によって、UL送信資源割り当ての第一の型を受信する段階であって、UL送信資源割り当ての前記第一の型は前記UEのための承認不要の送信を示す、段階；および
前記UEによって、承認不要の送信資源を使って承認不要の送信のための、前記UEからの第一のデータ送信を送る段階；または
前記UEによって、UL送信資源割り当ての第二の型を受信する段階であって、UL送信資源割り当ての前記第二の型は前記UEのための承認ベースの送信を示す、段階；および
前記UEによって、割り当てられた承認ベースの送信資源を使って承認ベースの送信のための、前記UEからの第二のデータ送信を送る段階
を含む方法を実行するためのものである、
UE。
【請求項２４】
前記コンピュータ可読記憶媒体に記憶されている前記プロセッサ実行可能命令が、前記送ることの前に：
前記UEによって、UL送信資源割り当てを受信する段階であって、前記UL送信資源割り当ては前記UEが承認ベース・モードに切り換えられることを示すとともに、割り当てられた承認ベースの送信資源を含む、段階；または
前記UEによって、承認ベース・モードに切り換えるための信号を受信し、スケジューリング要求に基づいて前記UEにUL送信資源割り当てを送信する段階であって、前記UL送信資源割り当てが、割り当てられた承認ベースの送信資源を示す、段階をさらに実行するための命令を含む、
請求項２３記載のUE。
【請求項２５】
前記コンピュータ可読記憶媒体に記憶されている前記プロセッサ実行可能命令が：
前記UEによって、承認不要モードに切り換えるための信号を受信し、UL送信資源割り当てを受信する段階であって、前記UL送信資源割り当ては、割り当てられた承認不要の送信資源を示す、段階をさらに実行するための命令を含む、請求項２３ないし２４のうちいずれか一項記載のUE。
【請求項２６】
前記コンピュータ可読記憶媒体に記憶されている前記プロセッサ実行可能命令が：
前記UEによって、前記UEから前記第一のデータ送信を、前記承認不要の送信資源を使って承認不要の再送信として送信する段階；または
前記UEによって、前記UEへの再送信のためのDCI承認を受信し、該DCI承認における前記割り当てられた再送信資源に基づいて前記UEから前記第一のデータ送信を通過する段階をさらに実行するための命令を含む、
請求項２３ないし２５のうちいずれか一項記載のUE。
【請求項２７】
前記コンピュータ可読記憶媒体に記憶されている前記プロセッサ実行可能命令が、前記UEによって前記UEからの第一のデータ送信を送ることの前に：
前記UEによって、プリアンブルを送る段階であって、前記プリアンブルはUE  IDとあらかじめ定義された関係をもち、前記UE  IDは前記承認不要の送信資源とあらかじめ定義された関係をもつ、段階；または
前記UEによって、UE  IDを送る段階であって、前記UE  IDは前記承認不要の送信資源とあらかじめ定義された関係をもつ、段階をさらに実行するための命令を含む、
請求項２３ないし２６のうちいずれか一項記載のUE。
【請求項２８】
前記コンピュータ可読記憶媒体に記憶されている前記プロセッサ実行可能命令が：
前記UEによって、再送信のためのDCI承認またはNACKを受信し、前記割り当てられた再送信資源に基づいて前記UEから前記第二のデータ送信を送信する段階；または
前記UEによって、NACKもしくは承認不要再送信モードに切り換えるためのインジケーターおよび承認不要の再送信資源を受信し、前記承認不要の送信資源を使って承認不要の送信のための前記第二のデータ送信を送信する段階をさらに実行するための命令を含む、
請求項２３ないし２７のうちいずれか一項記載のUE。